(57)【特許請求の範囲】
【請求項１】
電気的に活性なステッカディスプレイであって、前記電気的に活性なステッカディスプレイは、
電気光学的に活性な材料を含むカプセル化された表示媒体であって、前記表示媒体は、第１の表面と第２の表面とを有し、透明な層が、前記表示媒体の前記第２の表面に隣接して配置されており、前記透明な層は、電極を含む、表示媒体と、
前記表示媒体の前記第１の表面上に配置された接着層と
を含み、
前記電気的に活性なステッカディスプレイは、前記透明な層から前記接着層に延びるビアをさらに含む、電気的に活性なステッカディスプレイ。
【発明の詳細な説明】
【技術分野】
【０００１】
（発明の属する技術分野）
本発明は、カプセル化された電気泳動（ｅｌｅｃｔｒｏｐｈｏｒｅｔｉｃ）表示装置のための用途、特に、可撓性表示装置に関する。
【背景技術】
【０００２】
（発明の背景）
多くの用途が、表示装置を含むことにより利益を受け得る。例えば、映写装置、スケッチ装置、電話、ポケットブックおよびバッテリ指示器は、過渡的情報を表示するいくつかの用途にしかすぎない。今日まで、このような用途は概して電力消費が非常に小さい可撓性表示装置を必要とするので、表示装置の幅広い組込みが妨げられてきた。
【０００３】
高度に可撓性の反射型表示媒体の開発に多くの労力が使われたにもかかわらず、半可撓性基板上に形成された表示装置の例は相対的に少なく、これらの例はほどほどの成功を博しているにすぎない。例えば、ツイスティッド・ネマチック（ＴＮ）、超ツイスティッド・ネマチック（ＳＴＮ）、ポリマー分散液晶（ＰＤＬＣ）および双安定コレステリック液晶を含むプラスチックベースの液晶表示装置が開発されている。しかし、ＴＮおよびＳＴＮ表示装置における液晶配向に問題が残り、コレステリック表示装置はセル間隙の変化に敏感であり、局所応力はＰＤＬＣおよびコレステリック膜の散乱または吸収度に変化を生じさせ得る。このように、これらの表示装置では、ほどほどの可撓性しか達成され得ない。
【０００４】
放射性エレクトロルミネセンス膜および有機発光ダイオード膜が、可撓性表示装置を製造するために可撓性基板上に配置され得る。しかし、これらの装置は動作のために継続的な電力消費を必要とし、従って、多くの用途に実用的ではない。
【０００５】
高度に可撓性の表示装置の開発に伴う別の問題は、表示素子をアドレスするための適切な導体がないことである。代表的には、プラスチック基板上に真空スパッタリングされたインジウム酸化錫（ＩＴＯ）層が、表示装置のための上部導体として用いられる。しかし、表示装置が屈曲されると、ＩＴＯ層に損害が与えられ得る。プラスチック基板の局所的湾曲が大きくなりすぎると、ＩＴＯ層は割れる傾向にあり、表示装置に損害を与える。
【発明の概要】
【課題を解決するための手段】
【０００６】
（発明の要旨）
本発明の目的は、容易に製造され得、電力消費が少なく（あるいは、双安定性表示装置の場合には電力消費が無い）、従って様々な用途に組み込まれ得る、高度に可撓性の反射性表示装置を提供することである。本発明は、カプセル化された電気泳動表示媒体を備える印刷可能な表示装置を特色とする。結果として得られる表示装置は可撓性である。表示媒体は印刷可能であり得るので、表示装置自体が安価に製造され得る。
【０００７】
カプセル化された電気泳動表示装置は、表示装置の光学的状態がある長さの時間安定であるように構成され得る。このように安定である二つの状態を表示装置が有するとき、表示装置は双安定性と称される。表示装置の二つを超える状態が安定である場合、表示装置は多安定性と称され得る。本発明の目的について、用語双安定性は、一旦アドレス電圧が除去されると、いずれかの光学状態が固定されたままである表示装置を示すために用いられる。双安定状態の定義は、表示装置の用途に依存する。必要とされる観察時間にわたって光学状態が実質的に変化しない場合、緩慢に減衰する光学状態は実際上双安定であり得る。例えば、数分毎に更新される表示装置においては、数時間または数日間安定である表示画像は、その用途について実際上双安定である。本発明において、用語双安定性は、意図されている用途について実際上双安定性であるように十分に長期間持続する光学状態を有する表示装置を示す。あるいは、一旦表示装置へのアドレス電圧が除去されると画像が迅速に減衰する（すなわち、表示装置が双安定性または多安定性ではない）カプセル化された電気泳動表示装置を構成することが可能である。記載されるように、いくつかの用途において、双安定性ではないカプセル化された電気泳動表示装置を用いることが有利である。カプセル化された電気泳動表示装置が双安定性であるかないか、およびその双安定性の程度は、電気泳動粒子、懸濁流体、カプセルおよび結合剤材料の適切な化学的改変によって制御され得る。
【０００８】
カプセル化された電気泳動表示装置は多くの形態を取り得る。表示装置は、結合剤中に分散されたカプセルを含み得る。カプセルはいずれものサイズまたは形状であり得る。カプセルは、例えば、球形であり得、ミリメートル範囲またはミクロン範囲の直径を有し得るが、好ましくは、１０から数百ミクロンである。カプセルは、以下に記載するようにカプセル化技術によって形成され得る。粒子はカプセル中にカプセル化され得る。粒子は、二つまたはそれ以上の異なるタイプの粒子であり得る。粒子は、例えば、着色、発光性、吸光性または透明であり得る。粒子は、例えば、ニート顔料、染色（レーキされた）顔料、または顔料／ポリマー複合材を含み得る。表示装置は、粒子が分散されている懸濁流体をさらに含み得る。
【０００９】
カプセル化された電気泳動表示装置の構成を成功させるには、ポリマー結合剤および選択的には、カプセル膜などのいくつかの異なるタイプの材料および工程の適切な相互作用が必要となる。これらの材料は、電気泳動粒子および流体と化学的に適合性、かつ互いに化学的に適合性でなければならない。カプセル材料は、電気泳動粒子との有用な表面相互作用に係わっても、または流体と結合剤との間の化学的または物理的境界として作用してもよい。
【００１０】
いくつかの場合において、工程のカプセル化ステップは必要ではなく、電気泳動流体が、結合剤（または結合剤材料への前駆体）中に直接分散または乳化され得、有効な「ポリマー分散電気泳動表示装置」が構成される。このような表示装置において、結合剤中で作られた間隙は、カプセル膜が存在しなくとも、カプセルまたはマイクロカプセルと称され得る。結合剤分散電気泳動表示装置は、乳化または位相分離タイプであり得る。
【００１１】
明細書を通じて、印刷または印刷されたという語が参照される。明細書を通じて用いられるように、印刷は、印刷およびコーティングの全ての形態を含むことが意図され、パッチ染色コーティング、スロットまたは押出しコーティング、スライドまたはカスケードコーティング、およびカーテンコーティングなどのプリメータコーティング（ｐｒｅｍｅｔｅｒｅｄ  ｃｏａｔｉｎｇ）；ロール式ナイフコーティング、ロール式往復コーティング（ｆｏｒｗａｒｄ  ａｎｄ  ｒｅｖｅｒｓｅ  ｒｏｌｌ  ｃｏａｔｉｎｇ）などのロール式コーティング；グラビアコーティング；浸漬コーティング；噴霧コーティング；メニスカスコーティング；スピンコーティング；ブラシコーティング；エアナイフコーティング；シルクスクリーン印刷工程；静電印刷工程；熱印刷工程；および他の同様の技術を含む。「印刷された素子」は、上記の技術のいずれか一つを用いて形成された素子を指す。
【００１２】
一つの局面において、本発明は指示器を特色とする。指示器は、基板、トランスデューサ、およびトランスデューサと電気的連通にある、基板上に印刷された電気的にアドレス可能な表示装置を含む。いくつかの実施態様において、トランスデューサは基板上に印刷され、他の実施態様において、従来通りに基板上に配置される。表示装置は、トランスデューサからの信号に応答した光学状態の変化を示す。一つの実施態様において、指示器はバッテリ指示器である。バッテリ指示器はバッテリと電気的に連通している、バッテリ上に印刷された電気的にアドレス可能な表示装置を備える。光学状態は、バッテリの電圧に応答して第１の値を示す。一つの詳細な実施態様において、バッテリ指示器は、マイクロカプセル化された表示媒体を含む電気泳動表示装置と、電気泳動表示装置に隣接して配置された第１の電極および第２の電極と、非線形素子と、分圧器と、抵抗器とを備える。第１のよび第２の電極は、電気泳動表示媒体に電界を印加する。非線形素子は、バッテリおよび第１の電極と電気的に連通している。バッテリ電極が所定のしきい値を超えると、非線形素子は第１の電極にバッテリ電圧を伝導する。分圧器は、バッテリおよび第２の電極と電気的に連通している。分圧器は、バッテリ電圧よりも小さい電圧を第２の電極に供給する。抵抗器は、非線形素子および分圧器と電気的に連通している。
【００１３】
別の局面において、本発明はステッカ表示装置を特色とする。電気的に活性なステッカ表示装置は、カプセル化された表示媒体と、表示媒体の第１の表面上に配置された接着層とを含む。いくつかの場合において、カプセル化された電気泳動表示装置は、付加的な接着層無しでステッカとして機能するためにそれ自体が十分に接着性であり得る。表示媒体は、電気光学的に活性な材料を含む。一つの実施態様において、電極を含む透明層は、表示媒体の表面に隣接して配置される。別の実施態様において、ステッカ表示装置は、透明層から接着層に延びるビアをさらに含む。
【００１４】
さらに別の局面において、本発明は、電気的に活性な表示装置を印刷する方法を特色とする。この方法は、（ａ）膜の第１の表面上に配置された透明電極構造を有する膜を提供するステップと、（ｂ）膜の第１の表面上に表示媒体を印刷するステップと、（ｃ）表示媒体の少なくとも一部を被服する第２の電極を印刷または積層するステップと、を包含する。表示媒体は、結合剤中に分散されたカプセル化された電気光学的に活性な材料を含む。
【００１５】
さらに別の局面において、本発明は無線制御表示装置を特色とする。無線制御表示装置は、カプセル化された表示媒体を有する電気的に活性な表示装置と、レシーバと、レシーバと電気的に連通している復号器と、を含む。表示装置は、復号器の出力に応答する。一つの実施態様において、表示装置は、表示装置に接続している電源をさらに含む。別の実施態様において、表示装置は、表示装置をアドレスするために基板上に配置された複数の行および列ドライバをさらに含む。さらに別の実施態様において、表示装置は、制御回路と連通しているアンテナをさらに含む。
【００１６】
さらに別の局面において、本発明は、電気的にアドレス可能な表示装置を製造するための工程を特色とする。本方法は、（ａ）基板を提供するステップと、（ｂ）結合剤中に分散された少なくとも一つのマイクロカプセルを含む電気的に活性なインクを、受容基板の第１の領域上に印刷するステップと、を包含する。電気的に活性なインクの光学的品質は、放送信号に応答して調節される。
【００１７】
さらに別の局面において、本発明は、電気的にアドレス可能な表示装置を印刷するための工程を特色とする。本方法は、（ａ）基板を提供するステップと、（ｂ）結合剤中に分散された少なくとも一つのマイクロカプセルを含む電気的に活性なインクを、受容基板の第１の領域上に印刷するステップと、を包含する。
【００１８】
さらに別の局面において、本発明は、電気的に活性な表示タイル（ｔｉｌｅ）を特色とする。タイルは、基板と、基板上に配置された電気的にアドレス可能な表示装置と、表示装置と電気的に連通している、基板上に配置された制御器と、表示タイルを他の表示タイルに接続するために基板上に配置された接続器と、を含む。表示装置は、カプセル化された表示媒体を含む。一つの実施態様において、表示タイルは、無線信号または他の電磁放射を受け取るためのレシーバをさらに含み、制御器は受け取られた無線信号に応答して表示を変える。他の実施態様において、表示タイルはメモリ素子格納データをさらに含み、制御器は、メモリ素子に格納されたデータに応答して表示を変える。
【００１９】
さらに別の局面において、本発明は着用可能な表示装置を特色とする。着用可能な表示装置は、着用可能な商品に組み込まれた電気的にアドレス可能な表示装置を含む衣料品と、表示装置と電気的に連通している制御器とを含む。表示装置は、カプセル化された表示媒体を含む。一つの実施態様において、制御器は着用可能な商品に組み込まれる。別の実施態様において、着用可能な商品はファッションアクセサリを含む。さらに別の実施態様において、着用可能な商品は、温度モニタまたは位置感知装置などの、着用可能な商品によって表示され得る別の商品から情報を受け取るためのインタフェースを含む。
本発明は、添付の請求項における詳細をもって示される。上記された本発明の利点は、さらなる利点と共に、添付の図面と関連して考慮される以下の記載を参照することによって、さらに理解され得る。図面において、同じ参照番号は、異なる図面を通して概して同じ部分を指す。また、図面は必ずしも共通の尺度を有さず、本発明の原理を示すことに概して重きが置かれる。
【図面の簡単な説明】
【００２０】
【図１】印刷された可撓性電気泳動表示装置の一つの実施態様の分解図である。
【図２】本発明によって作製された指示器のブロック図である。
【図３】バッテリ指示器の実施態様の回路図である。
【図３Ａ】バッテリ指示器に含まれる非線形素子の電圧−電流曲線を示す図である。
【図４Ａ】双安定性ではない表示媒体の様々な実施態様を示す図である。
【図４Ｂ】双安定性ではない表示媒体の様々な実施態様を示す図である。
【図５Ａ】ステッカ表示装置の様々な実施態様を示す図である。
【図５Ｂ】ステッカ表示装置の様々な実施態様を示す図である。
【図５Ｃ】ステッカ表示装置の様々な実施態様を示す図である。
【図５Ｄ】ステッカ表示装置の様々な実施態様を示す図である。
【図５Ｅ】ステッカ表示装置の様々な実施態様を示す図である。
【図５Ｆ】ステッカ表示装置の様々な実施態様を示す図である。
【図６Ａ】無線制御表示装置の一つの実施態様がどのように機能するかを示すフローチャートである。
【図６Ｂ】無線制御表示装置の一つの実施態様を示す図である。
【図７】ラジオペーパーの一つの実施態様を示す図である。
【図８Ａ】図８Ａ〜８Ｄは、タイル表示システムを示す図である。
【図８Ｅ】タイル表示装置のブロック図の一つの実施態様を示す図である。
【図９】着用可能な表示装置の一つの実施態様を示す図である。
【図１０】ネットワークデータ表示装置の一つの実施態様のブロック図を示す図である。
【発明を実施するための形態】
【００２１】
（発明の詳細な記載）
本発明によると、基板が提供され、電子インクが基板の第１の領域上に印刷される。本発明は、表示装置の製造において幅広い範囲の印刷およびコーティング技術を用いることを可能にする電子インクの物理的特性を利用する。電子インクは、少なくとも二つの相（ｐｈａｓｅ）を含む電気光学的に活性な材料である。すなわち、電気泳動コントラスト媒体相およびコーティング／結合相である。電気泳動相は、いくつかの実施態様において、透明なまたは染色された媒体中に分散された一種の電気泳動粒子、あるいは透明なまたは染色された媒体に分散された別個の物理的および電気的特性を有する一つを超える種の電気泳動粒子を含む。コーティング／結合位相は、一つの実施態様において、電気泳動相を取り巻くポリマーマトリクスを含む。この実施態様において、ポリマー結合剤中のポリマーは、乾燥、架橋結合、または従来のインクにおけるように他の方法で硬化され得、従って、印刷工程は電子インクを基板上に配置するために用いられ得る。電子インクは、用いられる特定のインクの機械的特性に依存して、いくつかの異なる工程によって印刷され得る。例えば、特定のインクの脆性または粘性によって、異なる工程が選択される結果となり得る。非常に粘性の高いインクはインクジェット印刷工程による配置には適しないが、脆性インクはロール式ナイフコーティング工程においては用いられ得ない。
【００２２】
電子インクの光学的品質は、他の電子表示装置材料とは大幅に異なっている。最も注目に値する相違は、電子インクは顔料ベースであるため（通常の印刷インクのように）、高度の反射率およびコントラストの両方を提供することである。電子インクから散乱される光は、観察（ｖｉｅｗｉｎｇ）表面の上部に近い非常に薄い層から来る。この点において、電子インクは通常の印刷された画像に類似している。従って、電子インクは、印刷されたページと同様な方法で広い範囲の視角から容易に見られる。このようなインクは、他のどのような電子表示装置材料よりもランベルト（Ｌａｍｂｅｒｔｉａｎ）コントラスト曲線を接近して近似させる。電子インクは印刷され得るので、他のいずれもの印刷された材料を有する同じ表面上に含まれ得る。電子インクは全ての光学状態において光学的に安定にされ得る。すなわち、インクは持続する光学状態に設定され得る。電子インクを印刷することによる表示装置の製造は、この安定性があるために、低電力用途において特に有用である。
【００２３】
所望の場合、電子的に活性なおよび不活性なインクの色は接近して一致し得、反射率は同様であり得る。活性なインクと不活性なインクとの間で目立つ境界がないように、電子インクは印刷され得る。これは「色マッチング」または「色マスキング」と称される。従って、電子的に活性な部分を含む表示装置は、表示装置がアドレスされていないときには電子的に活性でないように見え得、表示装置をアドレスすることによって活性化され得る。電子インクは、米国同時係属出願第０８／９３５，８００号においてさらに詳細に記載され、その内容は本明細書において参考として援用される。
【００２４】
図１を参照すると、表示装置１が、第１の導電性コーティング２を基板３上に印刷し、電子インク４を第１の導電性コーティング２に印刷し、第２の導電性コーティング６を電子インク４上に印刷することによって製造される。導電性コーティング２および６は、インジウム酸化錫（ＩＴＯ）またはいくつかの他の適した導電性材料であり得る。導電性層２および６は、電解反応によって蒸気相から塗布され得るか、あるいは噴霧液滴または液体中の分散などの分散状態から溶着され得る。導電性コーティング２および６は、同一の導電性材料である必要はない。一つの詳細な実施態様において、基板３は、約４ミル（４
ｍｉｌ）の厚さを有するポリエステルシートであり、第１の導電性コーティング２は、ＩＴＯまたは透明ポリアニリンなどの透明な導電性コーティングである。第２の導電性コーティング６は、パターニングされた黒鉛層などの不透明な導電性コーティングであり得る。あるいは、第２の導電性コーティング６はポリマー性であり得る。ポリマーは本質的に導電性であり得るか、または銀をドーピングされたポリエステルまたは銀をドーピングされたビニル樹脂などの金属導体を有するポリマーキャリアであり得る。第２の電極として使用するために適した導電性ポリマーは、例えば、ポリアニリン、ポリピロル（ｐｏｌｙｐｙｒｏｌｅ）、ポリチオフェン、ポリフェニレンビニレン、およびそれらの誘導体を含む。これらの有機材料は、コーティングの前に適した溶媒中にコロイド状に分散または溶解され得る。
【００２５】
別の実施態様において、表示装置１は、第１の基板３上に第１の導電性コーティング２を印刷し、第１の導電性コーティング２上に電子インク４を印刷し、第２の基板３’上に第２の導電性コーティング６を印刷し、第２の導電性コーティング６が電子インク４と電気的な連通にあるように基板３および３’を構成することによって製造される。
【００２６】
電子インク４は複数のカプセルを含む。カプセルは、例えば、約１００ミクロンオーダーの平均直径を有し得る。この小さいカプセルは、カプセル自体を永久に変形または破裂させることなく、表示基板を著しく屈曲させることを可能にする。カプセル化された媒体自体の光学的外観は、これらのカプセルの湾曲によってほぼ影響を受けない。
【００２７】
表示装置を製造するために印刷法を用いる利益の一つは、コーティング可能な導電性材料を用いることによって真空スパッタリングされたＩＴＯの必要性が無くなることである。真空スパッタリングされたＩＴＯを印刷された導電性コーティングで置き換えることには、いくつかの点で利益がある。印刷された導体は薄くコーティングされ得、高い光透過性および第１の表面の低い反射性を可能にする。例えば、全透過は約８０％から約９５％の範囲であり得る。さらに、印刷された導電性コーティングは、真空スパッタリングされたＩＴＯよりも大幅に安価である。カプセル化された電気泳動表示媒体の別の利点は、相対的に低い導体、例えば、１０3から１０12オーム平方のオーダーの抵抗率を有する材料
が、表示素子をアドレスするためのリード線として用いられ得ることである。
【００２８】
上記の可撓性で安価な表示装置は、多くの用途において有用である。例えば、これらの可撓性表示装置は、紙（ｐａｐｅｒ）が現在えり抜きの表示媒体である用途において用いられ得る。あるいは、表示装置は、使い捨て可能な表示装置中に製造され得る。表示装置はきつく巻かれるか、二つに折り曲げられ得る。他の実施態様において、表示装置は、高度に可撓性のプラスチック基板、織物または紙の上に配置される得るか、あるいはその中に組み込まれ得る。表示装置は損害を受けることなく巻かれ折り曲げられ得るので、高度に持ち運び可能な広面積表示装置を形成する。これらの表示装置はプラスチック上に印刷され得るので、表示装置は軽量であり得る。さらに、本発明の印刷可能なカプセル化された電気泳動表示装置は、高い反射率、双安定性および低電力消費を含む、電気泳動表示装置の他の所望の特徴を維持し得る。
【００２９】
上記の印刷可能な表示装置は、様々な用途に組み込まれ得る。一つの実施態様において、本発明は、全体として印刷され得る新しいタイプの指示器を特色とする。図２は、指示器１０のブロック図を示す。指示器１０は、少なくとも二つの状態の間で変化し得る電子的にアドレス可能な表示装置１２と、表示装置１２の状態の変化をトリガするために電気的事象を生成させ得るトランスデューサ１４とを含む。電子的にアドレス可能な表示装置１２およびトランスデューサ１４は、両方とも基板１６上に印刷され得る。図２は、指示器１０が、トランスデューサ１４および表示装置１２に電力を与えるための印刷されたバッテリ１８をさらに含む実施態様を示す。一つの実施態様において、トランスデューサ１４は印刷される必要がない。この実施態様において、従来のトランスデューサ１４は基板１６上に配置され得る。表示媒体１２は上記のように印刷される。媒体１２は、表示媒体１２がトランスデューサ１４と最終的に電気的に連通するという条件で、トランスデューサが配置される前または後に印刷され得る。
【００３０】
別の実施態様において、バッテリ１８は従来のバッテリであり、このバッテリの電圧は測定され、表示装置１２上に表示される。一つの詳細な実施態様において、バッテリ指示器は、バッテリに直接接続された印刷された表示装置を含む。バッテリは表示装置を継続的にアドレスするが、バッテリがある時間に渡って放電すると、結局、表示装置をアドレスすることが不可能になる点に達する。トランスデューサの特性、例えば、バッテリによって含まれるアンペア時（ａｍｐ−ｈｏｕｒｓ）の数を変えることによって、バッテリ指示器は、ある電荷が通過した後に「電気切れ（ｅｘｐｉｒｅｄ）」などのメッセージを表示装置が示すように、「タイマ」として機能し得る。
【００３１】
図３は、バッテリ指示器２０の回路図を示す。バッテリ指示器２０は、表示媒体２４を含む表示装置２２と、表示媒体２４に隣接して配置される第１の電極２６および第２の電極２７と、第１の電極２６およびバッテリ３０と電気的に連通している非線形素子２８と、バッテリ３０および第２の電極２７と電気的に連通している分圧器３２と、非線形素子２８および分圧器３２と連通している抵抗器３４とを含む。
【００３２】
バッテリ３０はいずれものタイプであり得る。バッテリ３０は、初期には最大電圧を有する。分圧器３２は、第２の電極２７でバッテリセル電圧のある分数（ｓｏｍｅ  ｆｒａｃｔｉｏｎ）である電圧電位を確立する。図２に示される実施態様において、分圧器３２は高インピーダンス抵抗器３６および３８を含む。例えば、分圧器３２は、バッテリセル電圧の二分の一に等しい電圧電位を第２の電極２７に印加する二つの５メガオーム抵抗器を有し得る。あるいは、バッテリ指示器は、スライド分圧器を有し得る。スライド分圧器は、表示装置２４に印加される電圧を制御するために非線形素子を用いる電位差計として提供され得る。
【００３３】
バッテリセル電圧が所定のしきい値電圧を超えると、非線形素子２８は、バッテリセル電圧に等しい電圧を第１の電極２６に伝導する。適した非線形素子の例は、トランジスタ、ツェナーダイオード、バリスタ、金属−絶縁体−金属構造、ペンタセン（ｐｅｎｔａｃｅｎｅ）またはレジオ−正チオフェン（ｒｅｇｉｏ−ｒｅｇｕｌａｒ  ｔｈｉｏｐｈｅｎｅ）などの材料に基づいた有機半導体および装置、または当業者に公知のいずれのもの他の非線形装置を含む。図３Ａは、バッテリ指示器２０において用いられ得る非線形素子２８の例示的な電流−電圧特性を示す。しきい値電圧は製造によって調整可能であり、しきい値はバッテリ３０がなお使用可能である電圧に選択される。バッテリ３０がしきい値を超えれば、接合は破壊し、第１の電極２６はバッテリセル電圧に設定される。有用なバッテリ指示器は、非常に低い漏れ電流（例えば、１マイクロアンペア（μＡ）よりも大幅に低い）を有するべきであり、オンにされたときは、オフにされたときよりも少なくとも約１００倍大きい電流が流れることを可能にすべきである。表示の状態が変るしきい値電圧は、指示器がそれと共に作用するように設計されているバッテリに依存する。９Ｖアルカリ性バッテリ（ａｌｋａｌｉｎｅ）について、約８ボルト（Ｖ）のしきい値電圧が代表的である。例えば、９Ｖで、装置は１μＡを超えるべきであり、８Ｖで、装置は１００ナノアンペア（ｎＡ）を超えるべきであり、７Ｖで装置は１０ｎＡを超えるべきである。
【００３４】
非線形素子２８を通過し、第１の電極２６に印加されるバッテリ３０からの電圧は、分圧器３２を通過し、第２の電極２７に印加されるバッテリ３０からの電圧と組み合わされ、表示装置２２を活性化するために十分な電界を表示媒体２４に与える。第１の電極２６および第２の電極２７の少なくとも一つが、表示装置２２を見ることを可能にするために透明な導電性材料を含む。あるいは、両方の電極が表示媒体２４の一側面上に配置され得、透明電極の必要性を無くする。しかし、一旦バッテリ電圧３０がしきい値よりも下に低下すると、第１の電極２６での電位は抵抗器３４を介してドレインされる。第１の電極２６での電位のドレインによって、逆の極性の電界が表示媒体２４に印加され、表示装置２２の外観が変るように、表示媒体２４にかかる電位が変化する。
【００３５】
例えば、抵抗器３４は、代表的な９Ｖバッテリについて１０メガオーム抵抗器であり得る。代表的な９Ｖバッテリは、４００ミリアンペア時（ｍＡｈ）定格を有する。５年の期間にわたると、４３８００時間（５年×３６５日／年×２４時間／日＝４３８００時間）がある。従って、バッテリ３０が適した貯蔵寿命を有するためには、指示器２０は１（４００ｍＡｈ／４３８００時間）未満を引出さなければならない。理想的には、指示器２０は１μＡ未満を引出すべきである。このような低電流引出しを達成するためには、指示器２０のインピーダンスは１０メガオームのオーダになければならない。
【００３６】
上記のように、バッテリに永続的に接続された回路は、非常に小さい電力を消費するべきである。複数の表示装置材料がこのような用途に適している。しかし、液晶表示などのこのような表示装置材料の一部は、製造においてより複雑なセルを必要とする。本発明において、カプセル化された電気泳動表示装置およびカプセル化されたツイスティングボール（ｔｗｉｓｔｉｎｇ  ｂａｌｌ）表示装置は、その低い電力引出し、印刷可能性、および良好なコントラストのために、表示媒体２４として好ましい。例えば、カプセル化された電気泳動表示媒体は、電気泳動粒子と染料との混合物、または複数の光学特性を含む電気泳動粒子を含む。
【００３７】
一つの実施態様において、バッテリが有効である間に、一つの極性の電界を印加し、次いで、バッテリが無効になると逆の極性に切り換えることによって、バッテリ指示器２０が動作する。従って、表示媒体は双安定性である必要はない。
【００３８】
図４Ａを参照すると、双安定性ではない表示媒体１８０は少なくとも一つのカプセル１８５を含み、各カプセルが電気泳動粒子２１０および流体２２０で充填されている。このような媒体は、表示装置がバッテリによってアドレスされると一つのコントラスト状態を示し、表示装置がバッテリによってアドレスされないと、すなわち、バッテリ電圧レベルが表示装置をアドレスするために必要なしきい値電流よりも下に下がると、第２のコントラスト状態を示すので、この媒体はバッテリ用途において有用である。図４Ａに示される実施態様において、電気泳動粒子２１０は、一つの粒子２１０を他の粒子２１０から忌避（ｒｅｐｅｌ）させるポリマー鎖分岐２００を有する。一つの詳細な実施態様において、流体２２０は、粒子２１０との色コントラストを提供するために染色される。表示媒体がアドレスされると、粒子２１０は逆の電荷を有する電極に向かって移動し、それによって粒子２１０の色を表示する。一旦表示媒体がアドレスされなくなると、粒子２１０は互いに忌避し、流体２２０中に再分布（ｒｅｄｉｓｔｒｉｂｕｔｅ）し、それによって流体２２０の色を表示する。このカプセル化された表示媒体１８０は基板上に印刷され、表示装置を形成し得る。あるいは、双安定性ではない電気泳動表示装置は、双安定性ではない電気泳動媒体で充填された標準表示セルを提供することによって形成され得る。
【００３９】
図４Ｂを参照すると、これも双安定性ではない別の表示媒体２９０は、複数の金属ゾル２９６および透明流体２９４で充填された少なくとも一つのマイクロカプセルまたはセル２９２を含む。金属ゾル２９６は、光の波長よりも小さい粒子である。一つの詳細な実施態様において、金属ゾル２９６は金ゾルを含む。電界がマイクロカプセルまたはセル２９２に印加されると、ゾル粒子２９６は凝集し、光を散乱させる。印加された電界があるレベルの下まで低減されると、ブラウン運動がゾル粒子２９６を再分布させ、表示媒体２９０が透明流体２９４から透明に見える。
【００４０】
別の詳細な実施態様において、異なる電圧しきい値にマップされた複数の指示器が、バッテリ指示器を製造するために用いられる。本実施態様において重要な素子は、良好に制御された電圧レベルで形状非線形性を提供する回路素子である。
【００４１】
さらに別の詳細な実施態様において、開回路電圧についての電圧曲線を閉回路電圧にマップする厳密な適合を提供するために、バッテリ指示器は複数の非線形性を組み合わせる。負荷を有さないバッテリは、負荷電圧とは同一ではない電圧を示すことが公知である。従って、非線形性については、この相違を補償するために用いられ得る。さらに、開回路電圧への閉回路電圧の公知のマッピングは、指示器の印刷されたスケールにおいて用いられ得る。
【００４２】
別の詳細な実施態様において、本発明はタイマを特色とする。タイマは、ｐ型半導体（例えば、ホウ素ドープの）および真性または非ドープ半導体から形成された接合を含む。この装置において、電流は流れない。しかし、真性半導体がｎ−ドープになる場合（すなわち、半導体が、ドーパント原子の価電子殻から利用可能な余分な電子を有する場合）、電流はｎドープ領域からｐドープ領域に流れ得る。通常、亜リン酸（ｐｈｏｓｐｈｏｒｏｕｓ）でドープされる場合、真性半導体はｎドープになる。あるいは、真性領域に近接してトリチウムなどの物質を発するベータ粒子を埋め込むまたは配置することによって、同じ結果が達成され得る。同様に、ｎドープ真性接合半導体は、ｐドープ領域に変えるためにヘリウム−５などのアルファ粒子エミッタで処理され得る。ある時間にわたって、真性領域に埋め込まれたアルファまたはベータ粒子エミッタを有する非導電性接続は、電流を通すダイオードタイプ接合になり、それによってタイマとして作用する。
【００４３】
別の詳細な実施態様において、光がｎ領域からｐ領域に電流を流すように、タイマ（ｔｉｍｅｒ）は感光性のｐ−ｎ接合半導体を用いる。タイマは、ツェナーダイオードおよび表示装置中にトリチウム蛍光体（ｔｒｉｔｉａｔｅｄ  ｐｈｏｓｐｈｏｒ）を含み得る。ツェナーダイオードは、逆破壊（ｒｅｖｅｒｓｅ  ｂｒｅａｋｄｏｗｎ）に耐えるように設計されたダイオードである。トリチウム蛍光体を通ってツェナーダイオードに与えられた光は、ツェナーダイオードの破壊電圧を増加させる。トリチウム系（ｔｒｉｔｉａｔｅｄ  ｓｙｓｔｅｍ）が磨耗すると、ツェナーダイオード破壊電圧は低下し、電圧が表示装置に印加される。
【００４４】
別の詳細な実施態様において、圧力指示器は、トランスデューサおよび表示装置を含む。いくつかの実施態様において、トランスデューサが印刷される。別の実施態様において、表示装置はカプセル化された電気泳動表示装置である。トランスデューサは、例えば、一旦ある圧力しきい値を超えると閉じ、それによって印刷された表示装置に状態を変えさせる印刷された機械的スイッチを含む。別の例においては、圧力は、表示装置を含む回路の電気的特性（例えば、容量）を変え得、それによって一旦しきい値を超えると、表示装置の状態を変える。あるいは、トランスデューサは、表示装置の状態を切り換えるために電力を供給し得る。このようなトランスデューサの一例は圧電素子である。別の実施態様においては、太陽電池が表示装置に電力を供給し得る。
【００４５】
別の詳細な実施態様において、温度計は表示装置と、熱的刺激に応答して表示装置の状態を変え得る感熱性構造とを含む。いくつかの実施態様において、構造は印刷される。別の実施態様において、表示装置はカプセル化された電気泳動表示装置である。例えば、印刷されたバイメタル機械的システムが、印刷された表示装置の状態を変える電気的スイッチとなり得る。あるいは、熱的条件に対して反応する印刷された化学的構造が、表示装置の結果として生じる電気的特性および状態を変えるために用いられ得る。さらに別の可能性は、例えば、電気化学電位から、表示装置の状態を切り換えるために電力を供給するトランスデューサである。別の実施態様においては、太陽電池が表示装置に電力を供給し得る。
【００４６】
別の詳細な実施態様において、光指示器は、表示装置と、光子刺激に応答して表示装置の状態を変え得る感光性構造とを含む。いくつかの実施態様において、構造は印刷される。他の実施態様において、表示装置はカプセル化された電気泳動表示装置である。例えば、印刷された太陽電池アレイは、入射光子に応答して表示装置の状態を切り換えるために電圧を供給し得る光電気泳動性特性を有する。他の放射範囲（例えば、赤外線、紫外線など）に対して感応性の他の構造は、表示装置と共に基板上に印刷もされ得る。他の実施態様において、太陽電池は表示装置に電力を供給し得る。
【００４７】
別の詳細な実施態様において、湿度計は、表示装置と、湿度または直接的な水との接触に応答して表示装置の状態を変え得る湿度感応性構造とを含む。いくつかの実施態様において、構造は印刷される。別の実施態様において、表示装置はカプセル化された電気泳動表示装置である。例えば、イオン溶液が二つの露出された電気的接触をブリッジ（ｂｒｉｄｇｅ）するまで開回路であり、従って表示装置の状態を変える構造が印刷され得る。あるいは、ある量の水の吸収後に、表示装置の状態を変えるために十分に電気的特性を変える化学構造が印刷され得る。このトランスデューサは、例えば、蓄積された電気化学電位を用いて表示装置の状態を切り換えるための電力を供給し得る。この目的のために有用な材料は、ポリビニルアルコール、ポリ−Ｎ−ビニルピロリドン、ポリビニルピロリドン、これらの材料の誘導体、澱粉および糖を含む。他の実施態様において、太陽電池が表示装置に電力を供給し得る。
【００４８】
さらに別の詳細な実施態様において、音指示器は、表示装置と、音響的刺激に応答して表示装置の状態を変え得る音響的に感応性の構造とを含む。いくつかの実施態様において、構造は印刷される。別の実施態様において、表示装置はカプセル化された電気泳動表示装置である。例えば、マイクロフォンに類似した、圧電的に生成されたエネルギーに基づいて表示装置の状態を変える機械的に共振する構造が印刷され得る。他の実施態様において、太陽電池が表示装置に電力を供給し得る。
【００４９】
さらに別の詳細な実施態様において、角度指示器は、表示装置と、指示器の向きの変化に応答して表示装置の状態を変え得る配向（ｏｒｉｅｎｔａｔｉｏｎ）感応性の構造とを含む。いくつかの実施態様において、構造は印刷される。他の実施態様において、表示装置はカプセル化された電気泳動表示装置である。例えば、ある向きに達したときに二つの電気接触を閉じる水銀スイッチタイプ構造が提供され得る。配向構造はまた、表示装置の状態を切り換えるために電力を与え得る。例えば、トランスデューサは、角回転に含まれる機械的エネルギーを電気的エネルギーに変換する機械的構造を含み得る。他の実施態様において、太陽電池が表示装置に電力を供給し得る。
【００５０】
さらに別の詳細な実施態様において、ｐＨ指示器は、表示装置と、指示器が浸漬されている溶液のｐＨの変化に応答して表示装置の状態を変え得るｐＨ感応性構造とを含む。いくつかの実施態様において、構造は印刷される。別の実施態様において、表示装置はカプセル化された電気泳動表示装置である。例えば、あるｐＨレベルで化学反応を受ける化学セルが印刷され得、表示装置の状態を変化させ得る。ｐＨ感応性構造はまた、表示装置の状態を切り換えるために電力を供給し得る。例えば、電気化学電位が化学反応によって生成され得る。他の実施態様において、太陽電池が表示装置に電力を供給し得る。
【００５１】
さらに別の詳細な実施態様において、化学指示器は、表示装置と、外部の化学的干渉に応答して表示装置の状態を変え得る化学感応性構造とを含む。いくつかの実施態様において、構造は印刷される。別の実施態様において、表示装置はカプセル化された電気泳動表示装置である。例えば、印刷された化学センサは、化学反応を生じさせる外部より導入された薬剤に感応性であり得、表示装置の状態を切り換える。化学感応性構造はまた、表示装置の状態を切り換えるために電力を供給し得る。例えば、電気化学電位が化学反応によって生成され得る。他の実施態様において、太陽電池が表示装置に電力を提供し得る。
【００５２】
表示装置の状態を変化させるために電力を提供することに加えて、表示装置の状態を変化させるために信号を供給し得る上記されたもの以外のさらなるトランスデューサは、当業者に容易に明らかになる。
【００５３】
さらに別の詳細な実施態様において、上記のトランスデューサのいずれかが別のトランスデューサに接続され、表示装置の状態を変え得る複数レベルトランスデューサ経路を生成し得る。例えば、指示器は、化学的感応性構造、感熱性構造、および表示装置を含み得、これらの全てが基板上に印刷され得る。化学的感応性構造によって生じる発熱反応からの熱は感熱構造によって感知され得、次いでこれが表示装置の状態を変え、かつ、表示装置に電力を与えるためにも用いられ得る。
【００５４】
別の実施態様において、カプセル化された電気泳動表示装置は、印刷可能な接着表示装置を製造するために用いられる。図５Ａを参照すると、印刷可能な接着表示装置４０は、上部電極４４を形成する導電層でコーティングされた基板４２と、上部導体４４に隣接して配置された表示媒体４６と、表示媒体４０に隣接して配置された接着剤４８とを含む。表示媒体４０は、電子光学的に活性な構成要素５０と、電子光学的に活性な構成要素５０を共に保持する結合剤５２とを含む。基板４２および上部電極４４は、電極を介して表示装置４０を見ることを可能にするために光学的に透過性である。基板４２は、例えば、ポリエステルなどのポリマー材料で形成され得る。上部電極４４は、例えば、ＩＴＯなどの無機材料または適したポリマー材料で形成され得る。電子光学的に活性な構成要素５０は、例えば、カプセル化された電気泳動表示装置材料であり得る。あるいは、電子光学的に活性な構成材料５０は、生体色素微小球または液晶などのいずれもの他の適した表示装置材料であり得る。結合剤５２は、例えば、ポリウレタン、ポリビニルアルコール、ゼラチン、ポリアクリレート、ポリスチレン、ポリビニルブチラール、ポリエステル、エポキシ、シリコン、ポリカーボネート、それらの誘導体、および感圧性ウレタンおよび接着剤から選択され得る。
【００５５】
動作において、接着性表示装置４０は、接着剤４８によって受容表面（図示せず）に貼り付けられる。受容表面は、電子光学的に活性な構成要素５０をアドレスするための裏面電極を含み得る。裏面電極は、表示装置４０を動作させるための駆動または電力回路に電気的に接続され得る。この実施態様において、表示装置４０は、上部電極４２が「浮遊状態」であり、どの特定の電位とも直接に連結されていない「結合」モードでアドレスされる。
【００５６】
図５Ｂを参照すると、接着性表示装置５６は、基板４２と、基板４２上に配置された上部電極４４と、電子光学的に活性な構成要素５０および結合剤５２を含む表示媒体４６であって、上部電極４４に隣接して配置された表示媒体４６と、表示媒体４６に隣接して配置された接着剤４８とを含む。この実施態様においては、接着性表示装置５６は、上部電極４４を、表示媒体４６の裏面に配置されたパッド６２に電気的に接続するビア６０をさらに含み、導電性接着剤６４はパッド６２に隣接して配置される。裏面電極は、接着性表示装置５６が貼り付けられる受容表面（図示せず）上に配置される。この実施態様において、上部電極４４が特定の電位に直接接続され得る。
【００５７】
図５Ｃを参照すると、接着性表示装置７０は、基板４２と、複数の上部電極を形成するパターニングされた光学的に透過性の導電層７２であって、基板４２上でコーティングされた層７２と、電子光学的に活性な構成要素５０および結合剤５２を含む、基板４２に隣接して配置された表示媒体４６と、表示媒体４６に隣接して配置された接着剤４８とを含む。接着性表示装置７０は、少なくとも一つの上部電極７２を、表示媒体４６の裏面に配置されたパッド６２に電気的に接続する少なくとも一つのビア６０をさらに含む。導電性接着剤６４は、パッド６２の一般的な位置で表示媒体に隣接して配置され得る。裏面電極は、接着性表示装置７０が貼り付けられる受容表面（図示せず）上に配置され得る。
【００５８】
図５Ｄを参照すると、接着性表示装置８０は、基板４２と、基板４２上に配置された連続的な上部電極４４と、電子光学的に活性な構成要素５０および結合剤５２を含む、上部電極４４に隣接して配置された表示媒体４６と、表示媒体４６の裏面に隣接して配置された少なくとも一つのパターニングされた裏面電極８２と、表示装置８０を受容表面（図示せず）に接着するための、裏面電極８２に隣接して配置された導電性接着剤６４とを含む。この実施態様において、受容表面は、表示装置８０を動作させるための駆動または電力回路を含み得る。この実施態様において、表示装置８０は、上部電極が「浮遊状態」である「結合」モードでアドレスされる。
【００５９】
図５Ｅを参照すると、接着性表示装置９０は、基板４２と、基板４２上に配置された少なくとも一つのパターニングされた上部電極７２と、電子光学的に活性な構成要素５０および結合剤５２を含む、上部電極７２に隣接して配置された表示媒体４６と、表示媒体４６の裏面に隣接して配置された少なくとも一つのパターニングされた裏面電極８２と、裏面電極８２に隣接して配置された誘電層９２とを含む。接着性表示装置９０は、上部電極７２から表示媒体４６および誘電層９２を通って誘電層９２の裏面上に配置された少なくとも一つのパッド６２まで延びる少なくとも一つのビア６０をさらに含む。接着性表示装置９０は、裏面電極８２から誘電層９２を通って誘電層９２の裏面に配置された少なくとも一つのパッド９６まで延びる少なくとも一つのビア９４をさらに含む。導電性接着剤６４は、受容表面に表示装置９０を接着するため、かつ受容表面上の回路と表示装置９０の電極７２および８２との間に電気的連通を提供するために、パッド６２および９６の一般的な位置に配置される。表示装置９０のレシーバへの接着をさらに補助するために、表示装置９０は露出された誘電層９２に隣接して配置される非導電性接着剤４８をさらに含み得る。
【００６０】
図５Ｆを参照すると、接着性表示装置９８は、基板４２と、電子光学的に活性な構成要素５０および結合剤５２を含む、基板４２に隣接して配置された表示媒体４６と、表示媒体４６の裏面に隣接して配置された接着剤４８とを含む。この実施態様において、表示装置９８は裏面電極（図示せず）のみによってアドレスされる。裏面電極は、表示装置９８が貼り付けられる受容表面上に配置される。あるいは、裏面電極は、図５Ｄおよび図５Ｅに示されるように、表示装置９８の裏面に配置され得る。
【００６１】
上記の実施態様において、接着性表示装置４０をアドレスするための上部電極として作用するスタイラスが提供され得る。この実施態様において、スタイラスは、表示装置をアドレスするために表示装置全体を走査し得る。あるいは、スタイラスは、通過する表示装置の特定の部分のみをアドレスする筆記用具として用いられ得る。
【００６２】
別の実施態様において、カプセル化された電気泳動表示装置が、無線制御表示システムを形成するために用いられる。図６Ａを参照すると、無線制御表示システム３００は、遠隔送信器３７０と、レシーバ３０１と、制御器３４０と、表示ユニット３５０とを含む。一つの実施態様において、レシーバ３０１はアンテナ３０２を含む。一つのより詳細な実施態様において、レシーバ３０１は、アンテナ３０２によって受け取られたエネルギーを変形かつ整流する受動整流器３１０と電気的な連通にある。アンテナ３０２は、モノポールアンテナ、ダイポールアンテナ、プレーナーアレイ、コイルまたは無線受信技術において公知の他のいずれものアンテナ構造であり得る。
【００６３】
図６Ｂに示されるように、アンテナ３０２は表示装置３５０に対して周囲の関係に配置され得、相対的に低電力の信号から電力を受け取ることを可能にする。例えば、５，０００ｍ離れて１０，０００ワット信号を受信する１平方メートルの断面積を有するアンテナは、３マイクロワットの電力を受け取り得る。他の実施態様において、表示装置３５０は太陽電池（図示せず）によって電力を与えられる。
【００６４】
一つの実施態様において、アンテナ３０２は、受信レベルを改善するための複数のアンテナを含む。表示システム３００は、受動整流器３１０と連通しているエネルギー貯蔵装置３２０をさらに含む。エネルギー貯蔵装置３２０は、キャパシタ、バッテリまたはエネルギー貯蔵技術において公知の他のいずれもの電気的または非電気的エネルギー貯蔵装置であり得る。非電気的エネルギー貯蔵の場合、トランスデューサは、電気エネルギーを伝達し、エネルギーの他の形態にするために用いられ得る。
【００６５】
エネルギー貯蔵装置３２０におけるエネルギーレベルがエネルギーレベル検出器３３０によって検出されるようなあるレベルに達すると、制御器３４０が活性化され、表示装置が更新され得る。制御器３４０は、アンテナ３０２によって受け取られた無線信号を復号化し、アンテナ３０２によって受け取られた情報に基づいて表示装置３５０を更新する。各表示装置３５０は、セルラーホンまたはポケットベルにおけるようにＰＲＯＭまたはフラッシュＲＡＭなどの半導体装置ににディップスイッチセッティング（ｄｉｐ  ｓｗｉｔｃｈ  ｓｅｔｔｉｎｇ）またはプログラムされたデータとして格納され得る唯一の識別コード３６０を有し得る。制御器３４０はこの識別番号３６０を探し、伝送されたＩＤコードと格納された識別番号３６０とが一致する場合、属する（ａｔｔａｃｈｅｄ）データストリーム上の情報で表示装置３５０を更新する。
【００６６】
好ましい実施態様において、表示装置３５０は低電力表示装置である。例えば、電気泳動表示装置などの双安定非放射性表示装置が用いられ得る。一つの詳細な実施態様において、安価であり、かつ完成された商品中に製造が容易なカプセル化された電気泳動表示装置が用いられ得る。
【００６７】
一つの詳細な実施態様において、無線制御表示装置は、高周波エネルギーを介して送られる情報を用いて更新され得る無線サイン器（ｒａｄｉｏ  ｓｉｇｎ）を形成する。サイン器は、表示装置材料でおおわれた表面および制御回路を含む。この制御回路は放送エネルギーを受け取る。この回路は情報を復号化し、この情報でサイン器を更新する。
【００６８】
表示装置材料は、例えば、カプセル化された電気泳動表示装置または当業者に公知の他のいずれものカプセル化された表示材料であり得る。これらの表示装置材料は従来の印刷技術を用いて印刷され得、従って、サイン器製造のコストを容易にし、低減させる。無線サイン器は、店、空港、駅、路上、スーパマーケット、会議において、ビルボードとして、またはサイン器の更新またはサイン器への電力供給が遠隔に最良に行われ得るいずれもの他のサイン器として用いられ得る。内容は、いずれもの形態の電磁放射を用いて更新され得る。これらのサイン器は、太陽電池、バッテリまたは電力の配線電源を用い得る。これらのサイン器は、二色、三色、四色、または全色であり得る。
【００６９】
カラー表示装置は、複数ステップ印刷工程を用いて製造され得る。例えば、初めの四つのステップは、装置の寿命を通じて変らない精密な縁（ｅｌａｂｏｒａｔｅ  ｂｏｒｄｅｒ）または様々な静的情報を配置する（ｌａｙ  ｄｏｗｎ）ための従来の四色スクリーン印刷工程であり得る。次のステップは、四色工程から得られた色と正確に一致するように選択され得る電子インクの印刷であり得る。いくつかの実施態様において、上部電極は、印刷された電子インク上に配置される。上部電極はまた、従来の印刷技術を用いて印刷され得る。
【００７０】
一つの詳細な実施態様において、電子インクは、有機流体中に混合されたＴｉＯ2粒子
を含むカプセル化された電気泳動インクを含む。有機流体は、例えば、着色染料を含有し得る。有機分散は水性溶液中で乳化され、当業者に公知のいずれもの公知のカプセル化手順を用いてカプセル化される。このような材料の例は、ゼラチン−アラビアゴムまたは尿素ホルムアルデヒドマイクロカプセルを含む。この実施態様において、カプセルは結合材料を配合され、印刷可能な電子インク懸濁液を形成する。
【００７１】
別の実施態様において、カラー表示装置は、積層工程を用いて製造され得る。この実施態様において、静的情報は第１の基板上に印刷される。この実施態様において、第１の実施態様は、少なくとも一つの透明な、または実質的に透明な開口部を含む。カプセル化された電気泳動表示装置は、表示装置が開口部と位置合わせするように印刷された基板に積層される。
【００７２】
別の詳細な実施態様において、無線制御表示装置は、本明細書においてラジオペーパー（ｒａｄｉｏ  ｐａｐｅｒ）と称される、個人消費のための放送データを受信し得る装置を形成する。内容は個人についてカストマイズされ得、情報の消費者は、電子支払い機構を用いてそのようなカストマイズされた内容について支払いを行い得る。ラジオペーパーは、上記のように二色（例えば、白黒）またはフルカラーであり得る。内容についてのトランザクションは、インターネットとして公知の世界規模のコンピュータネットワークを含む、１つまたはそれ以上のコンピュータネットワーク上で行われ得る。図７を参照すると、ラジオペーパー４００は、基板４０２と、基板４０２上に配置された表示装置４０４と、基板４０２上に配置されたレシーバ４０６と、基板４０２上に配置された制御回路４０８とを含む。表示装置４０４は、基板４０２上に印刷され得る。あるいは、シリコン基板４０２を表示基板４０４上に取り付けるために、フリップチップ技術が用いられ得る。制御回路４０８は、低温ポリシリコン工程を用いて基板４０２上に直接製造され得る。複数の行および列ドライバが、表示装置４０４をアドレスするために表示装置４０４のバックプレーンにインタフェース連結され得る。一つの詳細な実施態様において、無線レシーバ４０６は、基板４０２上に配置されたトレースを含む。別の詳細な実施態様において、無線レシーバ４０６は、基板４０２上に取り付けられたアンテナを含む。ラジオペーパー４００は、基板４０２上に配置された電源４１０をさらに含み得る。電源４１０は、例えば、太陽電池、薄膜バッテリ、または標準電池であり得る。
【００７３】
上記のラジオペーパーは、ワイヤレス更新可能書類を提供するために用いられ得る。装置は、書類カバーと、カバーのいずれかの表面上にある電子表示装置と、データレシーバとを含む。表示装置は、データレシーバからデータが供給される。表示装置は書類ユーザにとって可視であり、書類がその送達に続いてメッセージが送付される方法を示す。装置は折り込み印刷物、本、雑誌、回覧（ｃｉｒｃｕｌａｒ）、定期刊行物、カタログ、案内板、または書類カバーを含む商品として提供され得る。理想的には、装置の電子表示装置は非常に低い電力を用いて動作し、容易に可視であるべきである。この理由で、一般的クラスの反射性電子表示装置は望ましい。さらに理想的には、表示装置は、上記のように、電力引出しを最小化するために双安定である。さらに、理想的には、表示装置が組み込まれ得る方法の数を最大化するために、表示装置は可撓性であり、紙のように薄い。例えば、紙のように薄い基板は、ラジオペーパーがレーザプリンタなどのデスクトップユニットによってアドレスされることを可能にする。あるいは、ラジオペーパーは、表示装置を通過し得るスタイラスを用いてアドレスされ得る。カプセル化された電気泳動表示装置は、全ての述べられた要件を満たし、この目的のために有益に用いられ得る。
【００７４】
データレシーバは、電磁放射を介して情報を受け取り得るいずれもの装置であり得る。いくつかの特定の実施態様において、データレシーバはページャまたは他の無線レシーバである。他の実施態様において、データレシーバは共軸ケーブルなどの物理的接続を介してデータを受け取り得る。
【００７５】
装置はバッテリ電力によって動作し得る。この場合、装置は、帯域幅が小さい低通信量期間などの、メッセージが送られると予測される一日のある時間の間の受け取りのためにレシーバに電力を与えるのみである、適切な休眠（ｓｌｅｅｐ）機構を組み込み得る。装置はまた、バッテリの必要性を無くす、または減少させるために太陽電池を組み込み得る。
【００７６】
この装置の有用性の一例は、装置をカタログとして配布する小売店のチェーンを参照することによって示され得る。カタログの送付後、小売店はいくつかの在庫商品が一掃されなければならないことを決定し得る。これは、代表的には、高価なマーケティング労力を必要とする。しかし、装置を用いて、チェーン店は一掃される商品を広告し得、実際にカタログの特定のページを消費者に参照させ得る。チェーン店はまた、小売店でのイベントを促進し得、商店へ人通りを向かわせ（ｄｒｉｖｅ  ｔｒａｆｆｉｃ）得る。チェーン店はまた、試験ベースでの付け値およびマーケティングメッセージを評価するために様々なメッセージを異なる消費者セグメントに伝え得る。
【００７７】
理想的には、装置は、個別に、または装置のグループの一部としてのいずれかでアドレスされ得る。前者の場合、ターゲットを絞ったマーケティングを可能にし、後者の場合、帯域幅伝送コストを減少させる。
【００７８】
さらに別の実施態様において、カプセル化された電気泳動表示装置が、複数のタイル表示装置を相互接続することによって、広面積表示装置の製造を可能にするタイル表示装置を形成するために用いられる。タイル表示装置は組み立てられたとき、継ぎ目無しであっても継ぎ目無しでなくてもよい。タイル画素は、円形、矩形または他の形状、例えば、モザイクフォント表示装置に存在する形状などのいずれもの形状を有し得る。画素の前面に取りつけられる画素マスクが存在してもよい。
【００７９】
図８Ａ〜図８Ｄを参照すると、タイル表示システム８００は、複数のタイル表示装置８０１、８０２、８０３および８０４、ならびに制御装置（図示せず）を含む。各タイル表示装置８０１は、タイル表示装置８０１を隣接するタイル表示装置８０２、８０３および８０４に接続する手段を含む。タイル表示システム８００は、いずれもの所望の数のタイル表示装置を含み得る。一つの実施態様において、タイル表示装置は、１６×１６画素タイルの４０×３０格子を含み、ＶＧＡ解像度スクリーンを形成する。
【００８０】
一つの詳細な実施態様において、タイル表示システムは、直接接続構造を含み、すなわち、各画素は制御装置からの各々のリード線を有する。各リード線は、別個のまたはパッケージされたトランジスタ線であり得る。この実施態様においては、基板の前面は電極の格子からなり、ここで各電極はビアを介して制御チップの出力に接続される。従って、Ｎ×Ｎ格子について、Ｎ2＋１本の制御線が必要とされる。付加的な線は、連続的な上部電
極に接続するために用いられる。
【００８１】
２Ｎ＋１本の制御線を用いるマトリクス表示装置は、様々な技術を用いて複数のタイル表示装置で構成され得る。一つの実施態様において、バリスタ、金属−絶縁体−金属、または別個のダイオードのアレイは、各画素を個別にアドレスするために用いられる。ダイオードの場合には、別個の表面搭載ツェナーダイオードが有用である。二つの端末装置のマトリクスを用いるＮ×Ｎ格子マトリクス表示装置について、２*Ｎ＋１本のみ制御線が
タイルを制御するために必要とされる。
【００８２】
一つの詳細な実施態様において、図８Ａ〜図８Ｄに示されるように、タイル８０１の縁上に配置された標準電子コネクタ８０５を用いて、タイルが互いに接続される。別の詳細な実施態様において、タイルはケーブルを用いて互いに接続される。タイルは、タイルの裏面にはんだ付けされたナットを用いて、または基板を固定する当該分野で公知のいずれもの他の手段によって、壁、軽量金属格子、またはいずれもの他の基板に取り付けられ得る。
【００８３】
制御器は、マイクロプロセッサまたは他の適した駆動回路を含む。制御器は、電磁放射のいずれもの好都合な形態を用いて、表示を更新するためにタイル表示装置に情報を伝送する。いくつかの実施態様において、制御器はまた、タイル表示装置から情報を受け取る。表示システムのためのデータは制御器のメモリ素子に格納されても、あるいはレシーバを用いて電磁信号の形態で受け取られてもよい。レシーバは、例えば、上記のように、アンテナと、アンテナと連通している受動整流器を含み得る。
【００８４】
一つの実施態様において、制御器は一つのタイルに接続し、表示装置全体を制御する。制御器は、バッテリと、電源と、ページングレシーバと、システム全体を制御するためのマイクロプロセッサとから成り得る。表示装置は、例えば、市販の統合ＡＣ−ＤＣ変換器を用いて電力を供給され得る。一つの実施態様において、各タイルはその各々の高圧供給を有し得る。エレクトロルミネセンスバックライトにおいて用いるための一般的なインバータチップが、本実施態様において用いられ得る。
【００８５】
タイルシステム全体を制御する一つの方法は、各タイル上にマイクロ制御器を有することである。本実施態様において、サイン制御器（ｓｉｇｎ  ｃｏｎｔｒｏｌｌｅｒ）は、ある座標位置、すなわち０、０にあるそれに接続されている一つのタイルを示す。非対称な制御器レイアウトによって、タイルは制御器がどの縁に接続されているかを決定し得る。次いで、このタイルは隣接するタイルと通信し、座標位置を適切に増分または減分する。このプロトコルによって、各タイルは、サイン上のその位置を特定する唯一の識別コードを決定し得る。次いで、サイン制御器は共通バス上にデータを送り得、各タイルのマイクロ制御器はタイルを更新するために必要とされるデータを受け取り得る。適切なデータがバス上に現れると、マイクロ制御器はこのデータを表示ドライバに移動させる。次いで、サイン全体に書込みパルスが与えられ、表示装置全体が更新される。上記のようなタイル表示装置は、３ボルトほどの低さの電圧で成功した駆動が行われ得る。
【００８６】
一つの実施態様において、タイル表示装置は、各画素および上部電極を
制御することによって駆動される。画像を表示するためには、バックプレーンの電極は電極の適切なパターンに設定される。裏面電極セグメントは接地または電源のいずれかに設定され、上部電極は接地と電源との間で迅速に切り換えられる。上部電極が電源にある状態で、接地の電位を有する表示装置の領域はアドレスされ、他の場所に電界は存在しない。上部電極が接地に切り換えられると、電源にあるバックプレーンの他の領域は切り換えられる。この方法によって、バックプレーンが表示装置材料が受け取る電圧を最大化することを可能にする。あるいは、標準双安定性アドレス機構が、上部電極が接地電位で保持されたままで、裏面電極上で用いられ得る。
【００８７】
一つの実施態様において、Ｓｕｐｅｒｔｅｘ  Ｃｏｒｐｏｒａｔｉｏｎ（Ｓｕｎｎｙｖａｌｅ、ＣＡ）によって製造されたＨＶ５７７０８ＰＧなどの高電圧ＣＭＯＳ表示装置駆動回路が、タイル表示装置を駆動するために用いられ得る。ＨＶ５７７０８ＰＧは、６４個の出力を有する８０ピンプラスチックガルウイング型表面搭載チップである。各出力は１５ｍＡシンク（ｓｉｎｋ）し得る。これらのチップのうちの四つが、一つのタイルを制御し得る。８０Ｖ１２８ラインテープ自動ボンディング（ＴＡＢ）チップであるＳｈａｒｐ  ＬＨ１５３８などの他のチップは、本発明のコンテクストにおいて用途を見出し得る。
【００８８】
図８Ｅを参照すると、タイル表示装置８３０は、基板８３１と、表示媒体８３２と、エレクトロニクス８３４と、ドライバ回路８３６とを含む。タイル表示装置８３０はいずれもの好都合な寸法であり得、いずれもの所望の数の画素を有し得る。ひとつの実施態様において、タイル表示装置８３０は８インチ×８インチであり、１６×１６画素のマトリクスである。タイル表示装置８３０の基板８３１は、標準のエッチングされた印刷回路盤、銅クラッドポリイミド、印刷された導電性インクを有するポリエステル、またはパターニングされた導電性領域を有するいずれもの他の適した基板であり得る。カプセル化された電気泳動表示装置などの表示媒体８３２は、基板の前面上に印刷され得る。表示媒体８３２は、結合剤中のカプセルのスラリーからなるカプセル化された電気泳動懸濁液であり得る。各カプセルは、誘電懸濁流体および多数の粒子からなる機械的システムを含む。電界がカプセルに印加されると、粒子は電界中に移動させられる。黒および白などの異なる電荷および色の二つの異なる粒子種を用いることによって、観察者に色変化が呈示され得る。一つの実施態様において、材料は双安定性であり、その結果、この材料が一旦アドレスされると、その最終状態に留まる。これは、画像更新の間の電力引込みを無くすために用いられる。材料は純粋に電界に応答し、従って、実際の電流引込みのみが材料のいずれかの面上の板の電荷の変化になる。表示材料の容量は、１ピコファラッド毎センチメートルと１００ピコファラッド毎センチメートルとの間であり得る。容量は、表示装置材料、結合剤、および総厚が異なると共に変わる。
【００８９】
一つの詳細な実施態様において、表示媒体は基板上に印刷され、次いで、ＩＴＯコーティングマイラーなどの透明導電性コーティングを有するプラスチックまたはガラスの層で被服される。ＩＴＯへの必要な接続は、導電性接着剤、接触またはテープを用いて行われ得る。
【００９０】
図８Ｅに示される実施態様において、タイル表示装置８３０は以下のステップを用いて作製される。表示媒体８３２を形成する電子インクは、ＩＴＯスパッタリングマイラー８３５のシートの導電性側面上にコーティングされ、次いで、乾燥または硬化される。導電性接着剤８３６の層は、硬化された電子インク８３２に選択的に塗布されて、積層体を形成する。この積層体は、銅パッド８３８または表面上に配置されたスクリーン印刷された金属製インクを有する回路盤からなるバックプレーン８３７に接着される。タイル表示装置８３０の角または一つの縁８３９は、前面ＩＴＯ電極８３３とバックプレーン８３７との間に接続を作ることを可能にするために確保される。必要である場合、電子インク８３２は角８３９から除去され、銀入りエポキシまたは導電性熱封止などの導電性接着剤８３６を用いて行われる。
【００９１】
さらに別の実施態様において、カプセル化された電気泳動表示装置は、着用可能な表示装置を提供するために衣料品に組み込まれる。図９を参照すると、着用可能な表示装置５０２は、天気図５０６または他の情報を提供するジャケット５００の袖５０４上のパッチとして具現化される。着用可能な表示装置５０２は、カプセル化された電気泳動表示媒体とバックプレーンとを含む表示モニタ５１０と電気的に連通する制御器５０８を含む。表示媒体はバックプレーン上に印刷される。バックプレーンは、表示装置５０２をアドレスするために必要な電子部品をさらに含む。いくつかの実施態様において、着用可能な表示装置は、グローバル配置ユニット（ｇｌｏｂａｌ  ｐｏｓｉｔｉｏｎｉｎｇ  ｕｎｉｔ）、ニュース供給、またはページャなどの表示のためにデータを提供する少なくとも一つの装置と連通している。これらの実施態様において、データ装置は表示装置に情報を通信し、次いでこの表示装置は情報を着用者のために表示する。
【００９２】
着用可能な表示装置は、靴、靴下、パンツ、下着、財布、キーチェーン、靴ひも、サスペンダー、ネクタイ、蝶ネクタイ、ボタン、バックル、シャツ、ジャケット、スカート、ドレス、耳用マフ、帽子、メガネ、コンタクトレンズ、腕時計、カフスリンク、財布用チェーン、ベルト、バックパック、ブリーフケース、手帳、手袋、レインコート、時計バンド、ブレスレット、オーバーコート、ウインドブレーカー、ベスト、ポンチョ、ベスト、または衣料品または他のファッションアクセサリーのいずれもの他の商品などの、他の着用可能な商品に組み込まれ得る。
【００９３】
さらに別の局面において、本発明は通信システムを特色とする。通信システムは、事実上いずれもの位置で実時間でそのユーザにメッセージを表示することを可能にする新しい全メッセージ送付および通信媒体を可能にする。
【００９４】
図１０を参照すると、システム１０００は、複数の表示装置レシーバ１００２を備える。表示装置レシーバ１００２は、電子表示装置１００４およびデータレシーバ１００６を含む。ある実施態様において、表示レシーバは、上記のようにタイル表示装置またはラジオペーパーである。電子表示装置１００４は、ＬＣＤ、プラズマ表示装置、ＣＲＴ、電気泳動表示装置またはカプセル化された電気泳動表示装置の分野に公知の原理によって動作し得る。カプセル化された電気泳動表示装置は、ＰＶＣ、ウレタンおよびシリコン結合剤などの適した結合剤を用いて実質的にいずれもの表面である多くの異なる表面にコーティングされ得、コーティング技術を用いて大きい寸法（ポスターおよびビルボード寸法など）にすること、高架クレーンを用いずに取り付けるために十分なほど軽量にすること、風で曲がるほどに可撓性にすること、およびさらなる電力引出しを行わずに画像を保持し得るようにすることをこれらの表面に可能にし、それによって太陽電池またはバッテリから経済的に動作し得る。
【００９５】
データレシーバ１００６は、例えば、ページャ、セルラーホン、サテライトホン、高周波レシーバ、赤外線レシーバ、ケーブルモデム、または他のソースから情報を受け取り得るいずれもの他の適したレシーバであり得る。データレシーバ１００６は、情報を伝送および受信し得る。例えば、データレシーバ１００６は、新しいデータストリームが受け取られたことを確認するために確認情報を伝送し得る。データレシーバ１００６は、例えば、国内天気システムの一部としての天気データであるシステム１０００の総動作に有用であり得るように、データを伝送し得る。データレシーバ１００６は、データの受取りおよび伝送の両方のための様々なまたは複数の伝送方法を用い得る。
【００９６】
データレシーバ１００６の機能は、主に、データを受け取り、かつそれに応答してテキストまたは画像を表示することである。データは、メッセージ、メッセージのストリーム、装置がどのように表示すべきか、またはメッセージ間の遷移を示す符号、あるいはユーザによって所望されるように表示装置１００４を動作させるいずれもの他の適した情報を含み得る。データは、ヘッダ、誤り検出、検査合計、ルーチング、またはシステム１０００の機能を容易にする他の情報も含み得る。
【００９７】
一つの実施態様において、データレシーバ１００６は制御システム１００８を含む。制御システム１００８は、通信システム１０００の動作を容易にする。一つの実施態様において、制御システム１００８は、表示装置レシーバに送られた画像および指令をユーザが設計、著作（ａｕｔｈｏｒ）、試験、共同、承認および／または伝送することを可能にするユーザインタフェースとして機能する。別の実施態様において、制御システム１００８は、ユーザの行動を監視し、支払いが受け取られたことを確認し、口座に入金されていることを確認し、ユーザが固有の許可を有することを確認し、使用報告を作成し、送り状を作成し、および／または不充分な課金状態によってデータレシーバを更新する、課金および許可システムとして機能する。別の実施態様において、制御システム１００８は、データレシーバを追跡し、データレシーバ履歴および状態の報告を生成し、適した特性に基づいてデータレシーバの分類およびスクリーニングを可能にし、および／またはデータレシーバまたはそのサブセットの全ネットワークにユーザがメッセージを割り当てることを可能にするデータレシーバ管理システムとして機能する。さらに別の実施態様において、制御システム１００８は、データレシーバまたはそのサブセットに適したフォーマットにデータを前処理し、各データレシーバに必要な、または最も適した方法によってデータを伝送し、所望の基準に従ってデータの伝送をスケジュールし、データが適切に送られたことを確認し、データレシーバ１００６からアップロードされたいずれもの情報を受け取りおよび処理し、受け取られていない可能性のあるメッセージを再送付し、このような活動の報告を作成し、および／または潜在的なサービス要件を示す現場職員へのメッセージを生成するデータ送付システムとして機能する。
【００９８】
上記の実施態様の全てにおいて、制御システムは、ユーザインタフェースとして、データ伝送機構として、誤り検出プロトコルとして、メッセージ送付サービスとして、プログラミング環境として、またはいずれもの適した方法でインターネットまたはワールドワイドウェブを用い得る。制御システム１００８は、ユーザ相互作用における、システム動作における、データレシーバ伝送における、またはデータレシーバ受信における安全性強化のためにデータ暗号化機構も用い得る。制御システム１００８は、使用および動作のシステム全体の一部として資金を転送することを可能にするために、適したディジタル支払い機構も用い得る。
【００９９】
本発明は特定の好ましい実施態様を参照して詳細に示され記載されたが、添付の請求項によって規定されるように、本発明の精神および範囲から逸脱せずに本発明において形態および詳細に様々な変更が行われ得ることが当業者によって理解されるべきである。
【図１】
0005615851.tif 000002
【図２】
0005615851.tif 000003
【図３】
0005615851.tif 000004
【図３Ａ】
0005615851.tif 000005
【図４Ａ】
0005615851.tif 000006
【図４Ｂ】
0005615851.tif 000007
【図５Ａ】
0005615851.tif 000008
【図５Ｂ】
0005615851.tif 000009
【図５Ｃ】
0005615851.tif 000010
【図５Ｄ】
0005615851.tif 000011
【図５Ｅ】
0005615851.tif 000012
【図５Ｆ】
0005615851.tif 000013
【図６Ａ】
0005615851.tif 000014
【図６Ｂ】
0005615851.tif 000015
【図７】
0005615851.tif 000016
【図８Ａ】
0005615851.tif 000017
【図８Ｅ】
0005615851.tif 000018
【図９】
0005615851.tif 000019
【図１０】
0005615851.tif 000020